(57)【要約】【課題】  バンダリズムガードを、機体に設けた収納部から簡単に出し入れできるようにする。【解決手段】  バンダリズムガードを収納する収納箱１３を、ラジエータ室９の床面９ａに、バンダリズムガードの収納時には起立姿勢となり、バンダリズムガードの出し入れ時には倒伏姿勢となるよう起倒自在に支持すると共に、上記収納箱１３は、倒伏姿勢時においてバンダリズムガードの下側に位置する底面１３ａと、機体内方側に位置する右側面１３ｂと、前側に位置する前側面１３ｃとを有する一方、上側、機体外方側、後側は開口しているものとした。【選択図】  図４
2006028783.tif 000002
【特許請求の範囲】
【請求項１】
機体に設けられた収納部に複数のバンダリズムガードを収納するにあたり、該複数のバンダリズムガードを積層状に支持するための支持部材を設け、該支持部材を、バンダリズムガード収納時には起立姿勢となり、バンダリズムガード出し入れ時には倒伏姿勢となるよう前記収納部に起倒自在に設けたことを特徴とする建設機械におけるバンダリズムガードの収納構造。
【請求項２】
請求項１において、支持部材は、倒伏姿勢時においてバンダリズムガードの下側に位置する面を有し、上側が開口した収納箱であることを特徴とする建設機械におけるバンダリズムガードの収納構造。
【請求項３】
請求項２において、収納箱は、倒伏姿勢時においてバンダリズムガードの機体内方側に位置する面を有し、機体外方側が開口していることを特徴とする建設機械におけるバンダリズムガードの収納構造。
【請求項４】
請求項２または３において、起立姿勢時における収納箱開口側のバンダリズムガードは、収納部に立設された壁面によって支持されることを特徴とする建設機械におけるバンダリズムガードの収納構造。
【請求項５】
請求項２乃至４の何れかにおいて、収納箱は、起立姿勢時においてバンダリズムガードの下側に位置する面を有し、上側が開口していることを特徴とする建設機械におけるバンダリズムガードの収納構造。
【請求項６】
請求項１乃至５の何れかにおいて、倒伏姿勢の支持部材は、収納部の床面に対して傾斜状であることを特徴とする建設機械におけるバンダリズムガードの収納構造。
【請求項７】
請求項６において、倒伏姿勢の支持部材を保持する保持部材を設けたことを特徴とする建設機械におけるバンダリズムガードの収納構造。
【請求項８】
請求項１乃至７の何れかにおいて、起立姿勢の支持部材を固定する固定具を設けたことを特徴とする建設機械におけるバンダリズムガードの収納構造。
【発明の詳細な説明】
【技術分野】
【０００１】
本発明は、油圧ショベル等の建設機械におけるバンダリズムガードの収納構造の技術分野に属するものである。
【背景技術】
【０００２】
一般に、キャブを備えた建設機械のなかには、駐車中の破壊行為や窃盗行為を防止する目的で、キャブのガラス窓にバンダリズムガード（破壊行為防止板）を装着できるようにしたものがあるが、該バンダリズムガードは、建設機械の作業中には窓から取外されて機体の適宜箇所に収納されることになる。
この様なバンダリズムガードの収納構造としては、従来、キャブとエンジンとの間に立設した防音壁に沿うようにして複数のバンダリズムガードを立姿状に積層させて収納する技術（例えば、特許文献１参照。）や、旋回フレームの梁部材の内空間をバンダリズムガード収納部とし、該収納部に複数のバンダリズムガードを水平状に積層させて収納する技術（例えば、特許文献２参照。）が知られている。
ところが、前記従来のものは、バンダリズムガードを縦方向あるいは横方向にスライドさせて収納部に出し入れする構成であるため、出し入れ時にバンダリズムガード同士、あるいはバンダリズムガードと収納部の壁面とが擦れて傷付きやすいという問題がある。さらに、出し入れに労力がかかる許りか、先に収納したバンダリズムガードが邪魔になって、後のバンダリズムガードが収納しづらいという問題もある。
【０００３】
この改善策として、バンダリズムガード収納部に、バンダリズムガードを積層状に支持する支持部材を設け、該支持部材を収納部に対して出し入れ自在に組込んだ技術が提唱されている（例えば、特許文献３参照。）。
【特許文献１】実開平７−３１９６４号公報
【特許文献２】特開２００３−２６８８０７号公報
【特許文献３】特開平７−２５９１３１号公報
【発明の開示】
【発明が解決しようとする課題】
【０００４】
しかるに、前記特許文献３のものは、バンダリズムガードの出し入れ作業が容易になったものの、バンダリズムガードを支持する支持部材を収納部に出し入れ自在に組込むために固定レールおよび可動レールの設置が必要であって、構造が複雑であり、コストが高くなるという問題があり、ここに本発明が解決しようとする課題がある。
【課題を解決するための手段】
【０００５】
本発明は、上記の如き実情に鑑みこれらの課題を解決することを目的として創作されたものであって、請求項１の発明は、機体に設けられた収納部に複数のバンダリズムガードを収納するにあたり、該複数のバンダリズムガードを積層状に支持するための支持部材を設け、該支持部材を、バンダリズムガード収納時には起立姿勢となり、バンダリズムガード出し入れ時には倒伏姿勢となるよう前記収納部に起倒自在に設けたことを特徴とするものである。
請求項２の発明は、請求項１において、支持部材は、倒伏姿勢時においてバンダリズムガードの下側に位置する面を有し、上側が開口した収納箱であることを特徴とするものである。
請求項３の発明は、請求項２において、収納箱は、倒伏姿勢時においてバンダリズムガードの機体内方側に位置する面を有し、機体外方側が開口していることを特徴とするものである。
請求項４の発明は、請求項２または３において、起立姿勢時における収納箱開口側のバンダリズムガードは、収納部に立設された壁面によって支持されることを特徴とするものである。
請求項５の発明は、請求項２乃至４の何れかにおいて、収納箱は、起立姿勢時においてバンダリズムガードの下側に位置する面を有し、上側が開口していることを特徴とするものである。
請求項６の発明は、請求項１乃至５の何れかにおいて、倒伏姿勢の支持部材は、収納部の床面に対して傾斜状であることを特徴とするものである。
請求項７の発明は、請求項６において、倒伏姿勢の支持部材を保持する保持部材を設けたことを特徴とするものである。
請求項８の発明は、請求項１乃至７の何れかにおいて、起立姿勢の支持部材を固定する固定具を設けたことを特徴とするものである。
【発明の効果】
【０００６】
請求項１の発明とすることにより、バンダリズムガードが支持される支持部材は、バンダリズムガード収納時には起立姿勢となって収納部にコンパクトに納まるものでありながら、バンダリズムガード出し入れ時には支持部材を倒伏姿勢にすることにより、バンダリズムガードの出し入れを簡単に行うことができる。
請求項２の発明とすることにより、収納箱へのバンダリズムガードの出し入れを簡単に行えると共に、出し入れの際にバンダリズムガード同士やバンダリズムガードと収納箱とが擦れて傷付いてしまうことを回避できる。
請求項３の発明とすることにより、収納箱へのバンダリズムガードの出し入れを、より簡単に行うことができる。
請求項４の発明とすることにより、バンダリズムガードを起立姿勢の収納箱に確実に納めることができる。
請求項５の発明とすることにより、収納箱へのバンダリズムガードの出し入れを、より簡単に行うことができる。
請求項６の発明とすることにより、収納部に他の部材装置が配されているような場合であっても、該他の部材装置との干渉を避けるようにして支持部材を倒伏姿勢とすることができる。
請求項７の発明とすることにより、傾斜状の倒伏姿勢の支持部材を安定して保持することができる。
請求項８の発明とすることにより、起立姿勢の支持部材が、機体振動等によって不用意に倒れてしまうことを防止できる。
【発明を実施するための最良の形態】
【０００７】
次に、本発明の実施の形態について、図面に基づいて説明する。図面において、１は油圧ショベルであって、該油圧ショベル１は、クローラ式の下部走行体２、該下部走行体２に旋回自在に支持される上部旋回体３、該上部旋回体３に装着されるフロントアタッチメント４等の各部から構成されている。さらに、前記上部旋回体３には、オペレータの運転スペースを覆うキャブ５、カウンタウエイト６等が設けられていると共に、図示しないエンジンや油圧機器類等の各種機器装置が搭載されていること等の基本的構成は何れも従来通りである。
【０００８】
前記キャブ５は、正面、背面、左右の側面、および左側面に設けられる乗降用ドア５ａに、ガラスが嵌め込まれた窓７を備えているが、作業終了時に、これら窓７をバンダリズムガード（破壊行為防止板）８で覆うことで、破壊行為や窃盗行為を防止する構成になっている。
【０００９】
前記バンダリズムガード８は、本実施の形態では、矩形状の二枚の鉄板をヒンジ８ａで折畳み自在に連結して形成されるものであって、該バンダリズムガード８は、その四隅部に穿設された係止孔８ｂを、各窓７の窓枠に突設されたピン７ａの先端部に係止すると共に、適宜箇所をボルト止め７ｂすることにより、窓７の外側に着脱自在に装着されるように構成されている。
【００１０】
一方、上部旋回体３の左側部には、カウンタウエイト６の前方にラジエータ室９（本発明の収納部に相当する）が形成されているが、該ラジエータ室９は、機体内方側に、ラジエータやオイルクーラー、冷却ファン等からなるクーリングユニット１０が配される一方、該クーリングユニット１０の外機体外方側は、後部側に背低の燃料フィルタ１１が配されている以外は殆ど空きスペースになっていて、クーリングユニット１０を冷却する冷却風の通路を確保できるようになっている。尚、本実施の形態の説明において、前後左右の方向は、上部旋回体３の前後左右を基準にしており、而して、ラジエータ室９の機体内方側は右、機体外方側は左、キャブ５側は前、カウンタウエイト６側は後としている。
【００１１】
１２は前記ラジエータ室９の前部に左右方向を向く状態で垂直状に立設される壁面であって、該壁面１２には、壁面１２の左縁部から後方に向けて延設された前後方向を向く第一側辺１２ａと、該第一側辺１２ａの後縁部から左方に向けて延設された左右方向を向く第二側辺１２ｂと、これら第一、第二側辺１２ａ、１２ｂを補強する補強辺１２ｃとが一体的に形成されている。さらに、この壁面１２の適宜部位には、後述する収納箱１３に収納されたバンダリズムガード８に当接する複数のバンパー１４が取り付けられている。
【００１２】
前記収納箱１３は、窓７から取外した複数のバンダリズムガード８を積層して収納できる大きさを有した矩形箱状のものであって、該収納箱１３は、後述する倒伏姿勢で、収納箱１３に収納されたバンダリズムガード８の下側に位置する底面１３ａと、右側（機体内方側）に位置する右側面１３ｂと、前側に位置する前側面１３ｃ（該前側面１３ｃは、後述する収納箱１３の起立姿勢では、バンダリズムガード８の下側に位置する。）とを有する一方、上側に位置する天井面と、左側（機体外方側）に位置する左側面と、後側に位置する後側面とを備えておらず、これらの部分は開口した状態になっている。また、前記右側面１３ｂおよび前側面１３ｃの先端縁部には、適宜箇所に複数の係止突片１３ｄが取り付けられており、後述するようにバンダリズムガード８を収納箱１３に収納した状態で収納箱１３を起倒させるときに、前記係止突片１３ｄがバンダリズムガード８に係止することによりバンダリズムガード８が収納箱１３から抜け出ることがないように構成されている。
【００１３】
そして、収納箱１３は、前述した壁面１２の後側のラジエータ室９の床面９ａに、底面１３ａと前側面１３ｃとのコーナー部分がヒンジ１５を介して揺動自在に取り付けられている。これにより収納箱１３は、底面１３ａがラジエータ室９の床面に対して略垂直状となる起立姿勢（図３参照）と、該起立姿勢からヒンジ１５を支点として後方側に揺動することにより底面１３ａがラジエータ室９の床面９ａに対して前低後高の傾斜状となる倒伏姿勢（図４参照）とに起倒自在に構成されている。
【００１４】
前記倒伏姿勢の収納箱１３は、前述したように、底面１３ａがラジエータ室９の床面９ａに対して前低後高の傾斜状となっており、ここに複数のバンダリズムガード８を積層状に載置できるようになっているが、この場合に収納箱１３は、傾斜した倒伏姿勢になっていると共に、右側面１３ｂおよび前側面１３ｃを備え、且つ上側、左側、後側が開口しているため、収納箱１３へのバンダリズムガード８の出し入れ作業、つまり、バンダリズムガード８を底面１３ａ上に積層状に積んだり、あるいは底面１３ａ上に積まれたバンダリズムガード８を収納箱１３から出したりする作業を、容易に行えるようになっている。
【００１５】
さらに、１６は収納箱１３が倒伏姿勢となったときに底面１３ａが当接するストッパであって、該ストッパ１６に当接することにより、収納箱１３がさらに倒れて燃料フィルタ１１に干渉してしまうことを回避できるようになっているが、このストッパ１６は、燃料フィルタ１１が取付けられる燃料フィルタブラケット１７に一体的に形成されている。つまり、倒伏姿勢となった収納箱１３の下方に位置する燃料フィルタブラケット１７を有効利用して、ストッパ１６が設けられている。
【００１６】
ここで、本実施の形態では、ラジエータ室９の後部に燃料フィルタ１１が設置されているため、倒伏姿勢の収納箱１３を前低後高の傾斜状として、収納箱１３と燃料フィルタ１１との干渉を回避したが、ラジエータ室９のスペースに余裕がある場合には、ラジエータ室９の床面９ａに接触するまで、つまり水平状となるまで収納箱１３を倒すように構成することもできる。
【００１７】
一方、前記倒伏姿勢の収納箱１３は、ヒンジ１５を支点として後部側を上方に揺動せしめることにより起立姿勢となるが、該起立姿勢の収納箱１３は、垂直状となった底面１３ａが壁面１２に対して間隔を存する状態で略平行となる。このとき、収納箱１３の前側面１３ｃは、先端縁が壁面１２に略達する状態でラジエータ室９の床面９ａに面接触する。また、右側面１３ｂの先端縁も、壁面１２に略達する。一方、収納箱１３の左側の開口は、壁面１２から延設された第一側辺１２ａによって覆蓋された状態となる。而して、倒伏姿勢の収納箱１３に積層状に載置されたバンダリズムガード８は、収納箱１３を起立姿勢にすることによって、壁面１２と収納箱１３とによって形成される空間部に立姿状態で収納されるように構成されている。さらにこのとき、バンダリズムガード８は、壁面１２に取り付けられたバンパー１４に弾圧状に当接することによって、ガタのない状態で収納されるようになっている。
【００１８】
また、１８は前記起立姿勢の収納箱１３を固定するための固定具であって、該固定具１８は、収納箱１３の底面１３ａに取付けられた係止バンド１９と、壁面１２の第二側辺１２ｂに取付けられた係止受ブラケット２０とから構成されている。そして、係止バンド１９の先端側に取り付けられた係止片１９ａを、係止受ブラケット２０の先端部の突起２０ａに係止せしめることにより、収納箱１３を起立姿勢に固定できるようになっている。
尚、収納箱１３を起立姿勢に固定する固定具としては、上記バンド式のものに限定されることなく、汎用のラッチ式の錠等を用いて構成することもできる。
【００１９】
叙述の如く構成された本形態において、防犯を図るべく窓７に装着されたバンダリズムガード８は、作業開始時には窓７から取外して収納箱１３に収納することになるが、該収納箱１３は、ラジエータ室９の床面９ａに、バンダリズムガード８の収納時には起立姿勢となり、バンダリズムガード８の出し入れ時には倒伏姿勢となるよう起倒自在に設けられている。この結果、起立姿勢となった状態では、ラジエータ室９にコンパクトに納まることになって、ラジエータ室９に配されたクーリングユニット１０の機体外方側の空きスペースを塞ぐことなく、クーリングユニット１０を冷却する冷却風の流れを妨げないものでありながら、前記空きスペースを利用して収納箱１３を倒伏姿勢にすることにより、収納箱１３へのバンダリズムガード８の出し入れを容易に行うことができる。
【００２０】
しかも、前記倒伏姿勢の収納箱１３は、上側、左側（機体外方側）および後側が開口しているため、収納箱１３へのバンダリズムガード８の出し入れが極めて容易であると共に、出し入れの際にバンダリズムガード８をスライドさせる必要がなく、而して、バンダリズムガード８同士やバンダリズムガード８と収納箱１３とが擦れて傷付いてしまうことを回避できる。
【００２１】
さらに、収納箱１３が起立姿勢となった状態では、前記倒伏姿勢のときに開口している箇所は、立姿状態のバンダリズムガード８の上側部分を除き、壁面１２および該壁面１２に一体形成される第一側辺１２ａによって塞がれた状態となるため、バンダリズムガード８は収納箱１３内に確実に納まることになる。
【００２２】
しかも前記起立姿勢の収納箱１３は、固定具１８によって固定されることになるため、起立姿勢の収納箱１３が機体振動等によって不用意に倒れてしまうことを防止できる。
【図面の簡単な説明】
【００２３】
【図１】油圧ショベルの側面図である。
【図２】（Ａ）はバンダリズムガードをキャブの正面の窓に装着した状態を示す図、（Ｂ）はバンダリズムガードを乗降用ドアの窓に装着した状態を示す図である。
【図３】収納箱が起立姿勢のときのラジエータ室を示す図である。
【図４】収納箱が倒伏姿勢のときのラジエータ室を示す図である。
【図５】固定具を示す図である。
【符号の説明】
【００２４】
８    バンダリズムガード
９    ラジエータ室
１２    壁面
１３    収納箱
１３ａ  底面
１３ｂ  右側面
１３ｃ  前側面
１５    ヒンジ
１６    ストッパ
１８    固定具
【図１】
2006028783.tif 000003
【図２】
2006028783.tif 000004
【図３】
2006028783.tif 000005
【図４】
2006028783.tif 000006
【図５】
2006028783.tif 000007